(57)【特許請求の範囲】
【請求項１】
個包装用シートと、
この個包装用シートに重ねられる吸収体と、
この吸収体の少なくとも一端部が収容される可撓性のトラップ部を前記個包装用シートとの間に形成するトラップシートと、
このトラップシートまたは前記個包装用シートの他端部に一体的に接合される基端部、ならびに前記個包装用シートの他端側が前記トラップシートに重なるように前記個包装用シートの他端部とこの個包装用シートの一端部または前記トラップシートとを剥離可能に接合する先端部を有する接合テープと
を具えたことを特徴とする吸収体製品。
【請求項２】
前記個包装用シートの少なくとも前記吸収体が重ねられる部分が液不透過性を有することを特徴とする請求項１に記載の吸収体製品。
【請求項３】
前記吸収体は、その幅方向に延在する折り返し部を前記トラップ部内に有することを特徴とする請求項１または請求項２に記載の吸収体製品。
【請求項４】
前記吸収体は、その長手方向に沿って延在する第２の折り返し部をその幅方向両側縁部にそれぞれ有することを特徴とする請求項１から請求項３の何れかに記載の吸収体製品。
【請求項５】
前記個包装用シートと前記吸収体との間に設けられ、前記個包装用シートに対する前記吸収体の位置ずれを防止するための位置ずれ防止部材をさらに具えたことを特徴とする請求項１から請求項４の何れかに記載の吸収体製品。
【請求項６】
前記トラップシートは、前記トラップ部内に男性の陰茎を導くための陰茎案内部を有することを特徴とする請求項１から請求項５の何れかに記載の吸収体製品。
【請求項７】
前記トラップ部に組み込まれて前記吸収体の少なくとも一端部が収容される可撓性を持った液不透過性の内袋をさらに具えたことを特徴とする請求項１から請求項６の何れかに記載の吸収体製品。
【請求項８】
前記内袋は、膨出可能な折り返し部を有することを特徴とする請求項７に記載の吸収体製品。
【請求項９】
前記トラップ部は、前記内袋の前記折り返し部の一部が前記トラップ部の外側に膨出し得る開口部をさらに具えたことを特徴とする請求項８に記載の吸収体製品。
【請求項１０】
前記個包装用シートおよび前記トラップシートは、同一のシート材料からなることを特徴とする請求項６から請求項９の何れかに記載の吸収体製品。
【請求項１１】
前記トラップシートの他端側が液透過性を有することを特徴とする請求項１から請求項５の何れかに記載の吸収体製品。
【請求項１２】
前記トラップシートの液透過性を有する部分に接合され、女性の尿道口に対向して尿を前記吸収体に拡散状態で導くための誘導部材をさらに有することを特徴とする請求項１１に記載の吸収体製品。
【請求項１３】
前記個包装用シートの左右両側縁部に沿って当該個包装用シートの左右両側縁部に伸長状態で接合された一対の弾性部材をさらに具えたことを特徴とする請求項１から請求項１２の何れかに記載の吸収体製品。
【請求項１４】
前記吸収体は、シート状をなす不織布基材と、この不織布基材に所定間隔で塗工された複数の液吸収部とを有することを特徴とする請求項１から請求項１３の何れかに記載の吸収体製品。
【請求項１５】
前記吸収体は、ＳＡＰを６０重量％以上含むことを特徴とする請求項１４に記載の吸収体製品。
【請求項１６】
前記吸収体は、水崩壊性を有することを特徴とする請求項１から請求項１５の何れかに記載の吸収体製品。
【請求項１７】
請求項９に記載の吸収体製品の製造方法であって、
単一のシート材料の幅方向両側縁部にそれぞれ開口し、それぞれ前記開口部となる一対の切欠をこの単一のシート材料の幅方向に沿って一直線状に形成するステップと、
前記一対の切欠を含むように前記単一のシート材料をその幅方向に沿って折り返すステップと、
折り返された前記単一のシート材料の相互に重なり合う幅方向両側縁部を接合して前記トラップ部を形成するステップと
を具えたことを特徴とする吸収体製品の製造方法。
【請求項１８】
請求項８に記載の吸収体製品に用いられる内袋であって、
矩形をなすシートの左右両側を中央側に折り返してなる左右一対の第１折り返し部と、
前記シートの下側を上側に折り返してなる第２の折り返し部と、
この第２折り返し部の上部を下側に折り返してなる第３の折り返し部と、
この第３の折り返し部の中央部と前記シートの上側の中央部とに両端部が接合される吊り下げテープと
を具えたことを特徴とする内袋。
【請求項１９】
請求項１８に記載の内袋の製造方法であって、
矩形をなすシートの左右両側を中央側に折り返して第１の折り返し部を形成するステップと、
前記シートの下側を上側に折り返して第２の折り返し部を形成するステップと、
前記第２の折り返し部の上部を下側に再び折り返して第３の折り返し部を形成するステップと、
５前記第３の折り返し部の中央部と前記シートの上側の中央部とに吊り下げテープの両端部を接合するステップと
を具えたことを特徴とする内袋の製造方法。
【請求項２０】
請求項１から請求項１６の何れかに記載した吸収体製品または請求項１７に記載された方法によって製造される吸収体製品の取り扱い方法であって、
前記接合テープの先端部を剥離して前記個包装用シートの他端側を展開するステップと、
この展開状態にて前記吸収体製品を使用するステップと、
使用後に前記個包装用シートの他端側を前記トラップシートに重ねて前記接合テープにより前記個包装用シートの他端部とこの個包装用シートの一端部または前記トラップシートとを接合するステップと
を具えたことを特徴とする吸収体製品の取り扱い方法。
【請求項２１】
使用後に前記個包装用シートの他端部とこの個包装用シートの一端部または前記トラップシートとを接合した状態のまま廃棄するステップをさらに具えたことを特徴とする請求項２０に記載の吸収体製品の取り扱い方法。
【請求項２２】
請求項１から請求項１６の何れかに記載した吸収体製品または請求項１７に記載された方法によって製造される吸収体製品が取り外し可能に装着される装着部を具えたことを特徴とする下ばき。
【請求項２３】
請求項１から請求項１６の何れかに記載した吸収体製品または請求項１７に記載された方法により製造される吸収体製品と、
この吸収体製品が取り外し可能に装着される装着部と
を具えたことを特徴とする下ばき。
【請求項２４】
前記装着部は、下ばきの少なくとも内側に設けられていることを特徴とする請求項２２または請求項２３に記載の下ばき。
【請求項２５】
前記吸収体製品の接合テープが剥離可能に接合される接合部をさらに具えたことを特徴とする請求項２２から請求項２４の何れかに記載の下ばき。
【請求項２６】
前記接合部は、下ばきの外側に設けられていることを特徴とする請求項２５に記載の下ばき。
【請求項２７】
下ばきが平編みのニット製品であることを特徴とする請求項２２から請求項２６の何れかに記載の下ばき。
【発明の詳細な説明】
【０００１】
【発明の属する技術分野】
本発明は、ごみの発生を極力抑えた合理的な個包装形式の吸収体製品とその製造方法および取り扱い方法ならびにこれを用いた下ばきに関する。
【０００２】
【従来の技術】
製造から流通段階を経て消費者に提供される通常の商品において、その商品を個々に独立した物品として取り扱うことができるような外装を持つ包装形態は、「個包装」と呼称されている。吸収体製品の分野において個包装製品として一般的なものは、生理用ナプキン，パンティ内袋，軽度失禁用パッドなどの女性を対象としたものである。この他、旅行用として使い捨てパンティなども一般化して来ている。
【０００３】
これら個包装形式の吸収体製品に共通して要求される機能として以下のような事項を挙げることができる。すなわち
（１）コンパクトであって、ポシェットやハンドバックに入れて持ち運ぶことができる。
（２）廃棄すべき場所や容器が用意されており、使用後もそれほど大きくならない。
（３）持ち運びの際や、使用中あるいは使用後の廃棄時においても人目に触れにくい。
（４）清潔に保つことができ、衛生的である。
【０００４】
例えば、個包装された生理用ナプキンにおいては、個包装袋からの取り出し時の便宜性を改善するため、リリーステープを個包装袋に結合し、これを開封操作するだけで生理用ナプキン全体を個包装袋から極めて容易に取り出すことができるワンウェイラップまたはワンステップラップと呼称されるものが主１になってきている。このような個包装された生理用ナプキンの使用時には、生理用ナプキンが個包装袋から取り出され、下ばきの所定位置に装着される。個包装袋はそのまま捨てられるか、あるいは個包装袋で使用済みのナプキンをくるみ、さらにその上からティッシュなどで包み込んで汚物入れに捨てられる。
【０００５】
【発明が解決しようとする課題】
便宜性を改善した従来の個包装形式の吸収体製品、特に生理用ナプキンにおいては、個包装袋と吸収体製品とをシリコーン加工紙や特殊加工フィルムなどの剥離シートを介して剥離可能に接合保持しておく必要があるため、個包装のためのコストが嵩む上、個包装袋や剥離シートなどのごみが常に発生してしまう不具合がある。
【０００６】
個包装形式の生理用ナプキンは、その個包装袋が使用済みのナプキンに対する廃棄用の袋として本来開発されているのにもかかわらず、生理用ナプキンを取り出した後にそのまま廃棄されてしまう可能性があり、資源的に無駄を生ずる。また、生理用ナプキンを取り出した後の個包装袋を使用済みのナプキンを包むための廃棄用の袋として使用する場合、これをポシェットやハンドバックなどに入れて次回の交換時まで持ち運ぶ必要があり、極めて煩わしい。
【０００７】
一方、前記（１）〜（４）の機能を持つ個包装形式の吸収体製品を子供用おむつや吸収容量の大きな失禁用パッドあるいは大人用の尿パッド、さらには大人用おむつなどに適用することは、コストに見合う採算性や廃棄時の取り扱い性などの点で難しいことが指摘されている。
【０００８】
【発明の目的】
本発明の目的は、子供用おむつ，吸収容量の大きな失禁用パッド，大人用の尿パッドおよび大人用おむつなどに適用可能であって、ごみの発生を極力抑えた合理的な個包装形式の吸収体製品とその製造方法および取り扱い方法ならびにこれに用いられる内袋とその製造方法およびこれを用いた下ばきを提供することにある。
【０００９】
【課題を解決するための手段】
本発明の第１の形態は、個包装用シートと、この個包装用シートに重ねられる吸収体と、この吸収体の少なくとも一端部が収容される可撓性のトラップ部を前記個包装用シートとの間に形成するトラップシートと、このトラップシートまたは前記個包装用シートの他端部に一体的に接合される基端部、ならびに前記個包装用シートの他端側が前記トラップシートに重なるように前記個包装用シートの他端部とこの個包装用シートの一端部または前記トラップシートとを剥離可能に接合する先端部を有する接合テープとを具えたことを特徴とする吸収体製品にある。
【００１０】
本発明の第２の形態は、個包装用シートと、
この個包装用シートに重ねられる吸収体と、
この吸収体の少なくとも一端部が収容される可撓性のトラップ部を前記個包装用シートとの間に形成するトラップシートと、
このトラップシートおよび前記個包装用シートの他端部の少なくとも一方に一体的に接合される基端部、ならびに前記個包装用シートの他端側が前記トラップシートに重なるように前記個包装用シートの他端部とこの個包装用シートの一端部または前記トラップシートとを剥離可能に接合する先端部を有する接合テープと、
膨出可能な折り返し部を有すると共に前記トラップ部に組み込まれて前記吸収体の少なくとも一端部が収容される可撓性を持った液不透過性の内袋と、
前記トラップ部に形成されて前記内袋の折り返し部の一部が外側に膨出し得る開口部とを具えた吸収体製品の製造方法であって、単一のシート材料の幅方向両側縁部にそれぞれ開口し、それぞれ開口部となる一対の切欠をこの単一のシート材料の幅方向に沿って一直線状に形成するステップと、前記一対の切欠を含むように前記単一のシート材料をその幅方向に沿って折り返すステップと、折り返された前記単一のシート材料の相互に重なり合う幅方向両側縁部を接合してトラップ部を形成するステップとを具えたことを特徴とするものである。
【００１１】
本発明の第３の形態は、本発明の第１の形態による吸収体製品または本発明の第２の形態による方法によって製造される吸収体製品の取り扱い方法であって、前記接合テープを剥離して前記個包装用シートの他端側を展開するステップと、この展開状態にて前記吸収体製品を使用するステップと、使用後に前記個包装用シートの他端側を前記トラップシートに重ねて前記接合テープにより前記個包装用シートの他端部とこの個包装用シートの一端部または前記トラップシートとを接合するステップとを具えたことを特徴とするものである。
【００１２】
本発明の第４の形態は、本発明の第１の形態による吸収体製品のトラップ部に組み込まれて吸収体の少なくとも一端部が収容され、膨出可能な折り返し部を有すると共に可撓性を持った液不透過性の内袋であって、矩形をなすシートの左右両側を中央側に折り返してなる左右一対の第１折り返し部と、前記シートの下側を上側に折り返してなる第２の折り返し部と、この第２折り返し部の上端部を下側に折り返してなる第３の折り返し部と、この第３の折り返し部の中央部と前記シートの上側の中央部とに両端部が接合される吊り下げテープとを具えたことを特徴とするものである。
【００１３】
本発明の第５の形態は、本発明の第４の形態による内袋の製造方法であって、矩形をなすシートの左右両側を中央側に折り返して第１の折り返し部を形成するステップと、前記シートの下側を上側に折り返して第２の折り返し部を形成するステップと、前記第２の折り返し部の上部を下側に再び折り返して第３の折り返し部を形成するステップと、前記第３の折り返し部の中央部と前記シートの上側の中央部とに吊り下げテープの両端部を接合するステップとを具えたことを特徴とするものである。
【００１４】
本発明の第６の形態は、本発明の第１の形態による吸収体製品または本発明の第２の形態による方法によって製造される吸収体製品が取り外し可能に装着される装着部を具えたことを特徴とする下ばきにある。
【００１５】
本発明の第７の形態は、本発明の第１の形態による吸収体製品または本発明の第２の形態による方法によって製造される吸収体製品と、この吸収体製品が取り外し可能に装着される装着部とを具えたことを特徴とする下ばきにある。
【００１６】
【発明の実施の形態】
本発明の第１の形態による吸収体製品において、個包装用シートの少なくとも吸収体が重ねられる部分が液不透過性を有するものであってよい。
【００１７】
吸収体は、その幅方向に延在する折り返し部をトラップ部内に有するか、あるいはその長手方向に沿って延在する第２の折り返し部をその幅方向両側縁部にそれぞれ有するものであってよい。
【００１８】
個包装用シートと吸収体との間に設けられ、個包装用シートに対して吸収体の位置ずれを防止するための位置ずれ防止部材をさらに具えることができる。
【００１９】
トラップシートがトラップ部内に男性の陰茎を導くための陰茎案内部を有するものであってよく、トラップ部に組み込まれて吸収体が収容される可撓性を持った液不透過性の内袋をさらに具えることができる。この内袋は、その外周縁部が折りたたまれた状態でトラップ部に収容される折り返し部を有するものであってよい。この場合、トラップ部は内袋の折り返し部の一部が外側に膨出し得る開口部をさらに具えることができる。また、個包装用シートおよびトラップシートが同一のシート材料からなるものであってよい。
【００２０】
トラップシートの他端部が液透過性を有するものであってよい。この場合、トラップシートの液透過性を有する部分に接合され、女性の尿道口に対向して尿を吸収体に拡散状態で導くための誘導部材をさらに有するものであってよい。
【００２１】
個包装用シートの左右両側縁部に沿って個包装用シートの左右両側縁部に伸長状態で接合された一対の弾性部材をさらに具えることができる。
【００２２】
吸収体がシート状をなす不織布基材と、この不織布基材に所定間隔で塗工された複数の液吸収部とを有するものであってよく、ＳＡＰを６０重量％以上含むことができる。
【００２３】
吸収体が水崩壊性を有するものであってよい。
【００２５】
本発明の第３の形態による吸収体製品の取り扱い方法において、使用後に個包装用シートの他端部とこの個包装用シートの一端部またはトラップシートとを接合した状態のまま廃棄するステップをさらに具えることができる。
【００２６】
本発明の第６または第７の形態による下ばきにおいて、装着部が下ばきの少なくとも内側に設けられているものであってよい。
【００２７】
吸収体製品の接合テープが剥離可能に接合される接合部をさらに具えることができる。
【００２８】
接合部が下ばきの外側に設けられているものであってよい。
【００２９】
下ばきが平編みのニット製品であってよい。
【００３０】
【実施例】
本発明による吸収体製品とその製造方法および取り扱い方法ならびにこれを用いた下ばきに関する実施例について、図１〜図３０を参照しながら詳細に説明するが、本発明はこれらの実施例のみに限らず、これらをさらに組み合わせたり、特許請求の範囲に記載された本発明の概念に包含されるあらゆる変更や修正が可能であり、従って本発明の精神に帰属する他の技術にも当然応用することができる。
【００３１】
第１の実施例の外観を図１に示し、その縦断面構造を図２に示し、その展開状態を図３に示す。すなわち、本実施例における吸収体製品Ｐは、液不透過性の個包装用シート１１と、この個包装用シート１１に一体的に重ねられる吸収体１２と、この吸収体１２の少なくとも一端側（通常、使用時に下側となる）が収容される可撓性のトラップ部１３を個包装用シート１１との間に形成するトラップシート１４と、このトラップシート１４および個包装用シート１１の他端部の少なくとも一方に設けられ、個包装用シート１１の他端側がトラップシート１４に重なるように個包装用シート１１の他端部とこの個包装用シート１１の一端部またはトラップシート１４とを剥離可能に接合する接合テープ１５とを具えている。
【００３２】
個包装用シート１１とトラップシート１４とによって形成されるトラップ部１３は、吸収体１２の少なくとも一端部を収容し、使用形態に応じてトラップ部１３自体が液漏れないような密閉状態に保たれる場合と、後述する液不透過性の内袋を併用することによって液の透過を可能とする場合とに分けられる。
【００３３】
トラップ部１３を密閉状態、つまり液不透過性に保つ必要がある使用形態として、第１にトラップ部１３に格納される吸収体１２がトップシートやバックシートなどの丈夫な保持シートで覆われておらず、ＳＡＰまたはパルプの如き吸収性材料をティッシュなどの薄い被覆材で包んだだけの場合が挙げられる。この場合には、吸収性材料からの液漏れを防ぐ必要があるため、トラップ部１３に液不透過性を持たせる。第２の例は、特に男性用の尿処理を目的として使用する場合である。ＳＡＰは、大量の液体を保持することができる反面、液体の吸収速度が遅い特性を有しており、このようなＳＡＰを高い割合で含む吸収体１２を使用した場合、ＳＡＰによる尿の吸収速度が尿の排出速度に追いつかないため、吸収体１２が吸収し切れない尿を外部に漏らさないようにする必要がある。このような場合、液不透過性のトラップ部１３は、一時的に尿を貯溜する可撓性の容器として機能させることができる。
【００３４】
トラップ部１３、特にトラップシート１４に液透過性を持たせる使用形態としては、第１に液不透過性の内袋を併用する場合であり、この内袋はトラップ部１３内に収容される。この場合には、トラップ部１３は内袋を収容する機能を持つだけであるので、トラップシート１４を多孔質またはメッシュ状のものにしたり、親水性の不織布などでトラップシート１４を構成することができる。第２の例は、女性用の尿処理パッドとして用いる場合であるが、この場合であっても、少なくともトラップシート１４の一端側（下端側）を液不透過性にして吸収体１２が吸収し切れない尿を外部に漏らさないようにする必要がある。
【００３５】
本実施例における個包装用シート１１およびトラップシート１４は、何れも液不透過性の柔軟なＰＥシートまたはＰＥフィルムと不織布との積層シートからなり、トラップシート１４を個包装用シート１１の長手方向一端側に重ね合わせ、トラップシート１４が重なる個包装用シート１１の外周縁部を加熱融着してヒートシール１６を形成することにより、トラップシート１４の他端側（上端側）が開口するトラップ部１３を形成することができる。
【００３６】
個包装用シート１１とトラップシート１４とを同一の合成樹脂フィルム材料で構成した場合には、１枚の長尺シートを折り返し、この長尺シートの折り返し部分における幅方向両側端縁部を加熱融着することにより、トラップ部１３を有する個包装用シート１１とトラップシート１４とを形成することも可能である。
【００３７】
本実施例における吸収体１２の他端側は、トラップ部１３の開口１７から露出して個包装用シート１１の他端側にまで延在している。図１および図２に示す未使用の個包装状態においては、個包装用シート１１の長手方向中程から個包装用シート１１と共にトラップシート１４の上に折り返され、個包装用シート１１で覆われた状態となっている。この折り返し部分を展開した図２に示す使用状態から、再び図１および図２に示す折りたたみ状態にすることによって、手を汚すことなく使用済みの吸収性製品Ｐを廃棄することができる。
【００３８】
液不透過性の個包装用シート１１を用いることにより、吸収体１２としてＳＡＰや木材パルプの如き吸収性材料を主体とする通常の吸収性材料と、個包装用シート１１との間でこれらを包む液透過性のトップシートまたはティッシュの如き表面被覆シートとのみで構成することができる。このような吸収体１２の構造の簡略化は、吸収性製品Ｐの設計の単純化およびコストダウンに留まらず、廃棄処理の容易性に関して大きな利点を与える。
【００３９】
吸収性製品Ｐをコンパクトに構成し、しかも衛生的に尿を処理することができるようにするため、吸収体１２は、その少なくとも一端部がトラップ部１３内に円滑かつ安定して収容され、液体を吸収して膨潤した後も安定してその形状を維持できるように、極めて薄く吸収前後においても形状安定性に優れたものであることが望ましい。このような観点から、本発明で用いられる吸収体１２は、一般的な使い捨ておむつや生理用ナプキンなどに見られるようなパルプに対するＳＡＰの混合割合よりも、ＳＡＰの割合を大幅に高め、しかも安定した形状を保つことができるシート状吸収体、例えば特開平１１−３４２００号公報に記載されているようなものが好ましい。
【００４０】
図４は、このようなシート状吸収体１２Ｓの外観を模式的に示している。このシート状吸収体１２Ｓは、不織布、好ましくは嵩高性と通気性とを有する不織布からなるベースシート１８の表面にカーテンコートの如きラインコーティング技術を適用し、ベースシート１８の長手方向に沿って相互に平行な帯状の高吸収層１９を塗布することにより形成される。これら高吸収層１９には、ＳＡＰが６０％以上、好ましくは８０〜９０％の割合で含まれる。このようなシート状吸収体１２Ｓは、ベースシート１８のみの部分と高吸収層１９を形成した部分とが存在するため、液の拡散性が良好である。
【００４１】
シート状吸収体１２Ｓの膨潤性を損なわないようにするため、このシート状吸収体１２Ｓに対して不織布やティッシュまたは多孔質フィルムなどの表面被覆シートを使用せず、その少なくとも一端部をトラップ部１３に収容することが望ましい。しかしながら、必要に応じて適当な形状に折りたたんでトラップ部１３へ挿入することも可能である。例えば、図５に示すように、シート状吸収体１２Ｓの幅方向両側縁部に沿ってそれぞれ折りたたみ部２０を形成し、さらにこのシート状吸収体１２Ｓの一端部を内側に折り返した折り返し部２１を形成し、この折り返し部２１をトラップ部１３に収容することによって、トラップ部１３に排出される尿の吸収をより効率よく行わせることも可能である。このような形状は、例えば男性の陰茎を左右の折りたたみ部２０の間に保持させることが容易となるため、男性用の失禁パッドに用いる吸収体１２として好適である。本実施例における折りたたみ部２０は、シート状吸収体１２Ｓの長手方向に沿ってそれぞれ２つの折り線部２０ｆを有する蛇腹状となっている。
【００４２】
ベースシート１８として水洗式大便器に廃棄することができる、いわゆるフラッシャブル性のものを採用し、ＳＡＰとして生分解性を有する、例えばアミノ酸系ＳＡＰを採用することにより、必要に応じてトラップ部１３から使用済みの吸収体１２を取り出し、水洗式大便器にそのまま安全に廃棄することも可能である。
【００４３】
接合テープ１５は、その基端が個包装用シート１１の他端中央部に一体的に接合されており、トラップシート１４に対して剥離可能に接合されるその先端側には、図示しない粘着剤が塗布されている。本実施例における接合テープ１５の先端部には粘着剤が塗布されておらず、この部分を指でつまんで接合テープ１５の剥離操作を容易に行えるように配慮している。この接合テープ１５の機能は、第１に吸収体製品Ｐの個包装用シート１１を図１に示す折り返し状態に維持し、その密閉衛生状態を保つことと、第２に折り返されている個包装用シート１１および吸収体１２の他端部を使用時に展開する際の作業性を容易にすることである。この他、吸収体製品Ｐをパンティやブリーフなどの下ばきに取り付ける際に、下ばきに対する吸収体製品Ｐの位置を固定するための機能を接合テープ１５に持たせることも可能である。
【００４４】
下ばきに対する吸収体製品Ｐの位置を固定するための機能を接合テープ１５に持たせる場合、接合力を強めるために接合テープ１５の幅寸法を増大させたり、あるいは図６に示すように複数（図示例では２つ）の接合テープ１５を相隔てて設けることが有効である。
【００４５】
本発明の接合テープ１５は、吸収体製品Ｐの使用後に、再び個包装用シート１１を図１に示すように折り返して接合テープ１５をトラップシート１４に接合するか、またはトラップ部１３を巻き込むようにくるんで接合テープ１５を個包装用シート１１に接合することができるように、安定した再接合力を得られることが望ましい。このような観点から、接合テープ１５として本実施例のような粘着剤を使用したもの以外に、マジックテープ（登録商標）またはベルクロ（登録商標）などの面ファスナを用いることも可能である。これによって、吸収体製品Ｐを吸収体１２の形状を乱すことなく、しかも衛生的に廃棄することができる。この吸収体製品Ｐの廃棄時には、吸収体１２が尿を吸収して膨潤化しているため、図１のようなコンパクトな個包装状態にはならないが、基本的に大きな形状変化は生じない。吸収体１２の膨潤化に対応させるため、接合テープ１５としてパンツ型オムツに設けられているような多重折りたたみ形式のものを採用することにより、接合テープ１５を確実に個包装用シート１１またはトラップシート１４に再接合することができる。
【００４６】
吸収体１２の長さに対してトラップ部１３の深さが浅い場合には、個包装用シート１１に対して吸収体１２の位置がずれないように、個包装用シート１１と吸収体１２との間に位置ずれ防止部材２２が介装される。本実施例では、位置ずれ防止部材２２としてホットメルト接着剤を使用しているが、個包装用シート１１に対して吸収体１２を恒久的に固定する必要性はなく、粘着剤や面ファスナなどを用いて個包装用シート１１から取り外しできるようにすることも可能である。あるいは、位置ずれ防止部材２２として滑り止め剤などを用いて摩擦による位置ずれを防ぐだけでも効果を得ることができる。この位置ずれ防止部材２２の位置や形状および数などに関しては、任意に選択することができる。
【００４７】
着用者の体の曲線に沿って吸収体製品Ｐを湾曲させるため、個包装用シート１１の幅方向両側縁部に弾性部材を例えば２０％程度伸長状態で接合し、この弾性部材の収縮力によって吸収体製品Ｐを変形させることも有効である。図７は、このような吸収体製品Ｐの他の実施例を展開した状態を示しており、便宜的に吸収体１２を省略して描いている。弾性部材２３は、個包装用シート１１の幅方向両側縁部に沿って、その長手方向ほぼ全域に亙って配置されているが、さらに別な実施例の展開状態を表す図８に示すように、トラップシート１４が重ねられていない個包装用シート１１の他端側にのみ弾性部材２３を伸長状態で設けるようにしてもよい。
【００４８】
吸収体製品Ｐに外力が作用していない状態では、弾性部材２３が個包装用シート１１の幅方向両側縁部をその長手方向に沿って他の部分に対して収縮させるように作用する。このため、着用状態においては吸収体製品Ｐの幅方向両側縁部が身体に密着するように変形して幅方向側縁からの尿の漏出を防止することができる。
【００４９】
本発明による吸収体製品Ｐは、上述した実施例を基本的な構成とし、用途に応じて機能の追加または変更を行うことにより、望ましい使用形態を得ることができる。以下、限定された用途毎に本発明による吸収体製品Ｐについて順次説明するが、先の実施例と同一機能の要素にはこれと同一符号を記すに止め、重複する部分についての説明は省略する。
【００５０】
図９〜図１１は、本発明による吸収体製品Ｐを女性用の失禁パッドまたは尿パッドに応用した実施例を示し、図１０以外はその展開状態を描いている。何れの実施例もトラップ部１３に開口１７を形成して吸収体１２を出し入れすることができるような構造になっているが、トラップシート１４の外周縁部をすべて個包装用シート１１に接合して吸収体１２を取り出せないようにすることも可能である。図１０は、使用済みの吸収体製品Ｐをそのトラップシート１４が内側となるように丸めて廃棄する例を示しているが、先の実施例のように折りたたみ状態にして廃棄することも当然可能である。
【００５１】
図９に示した実施例は、トラップシート１４の上半部を液の出入が自由なメッシュシートで構成し、下半分を液不透過性にすることにより、吸収体１２によって吸収し切れない尿をここに一時的に誘導し、多量の尿を処理することを可能としている。
【００５２】
図１１に示した実施例は、女性の尿道口に対向し、尿を吸収体１２に拡散状態で導くための誘導部材２４を液透過性のトラップシート１４の中央部に突出状態で接合したものである。生理用タンポンまたは発泡樹脂の如き構造を有する誘導部材２４は、排出される尿を迅速に吸い取り、トラップシート１４を介してこれを吸収体１２に誘導する機能を有し、漏れを防止することができる。本実施例においても、トラップシート１４の一端側（図中、斜線領域）を液不透過性に保ち、ここに尿をここに一時的に貯溜できるようにしている。
【００５３】
図１２〜図１５は、本発明による吸収体製品Ｐを男性用の失禁パッドおよび尿パッドに応用した実施例を示している。
【００５４】
図１２〜図１６に示した実施例は、何れも男性の陰茎をトラップ部１３内に導くための陰茎案内部をトラップシート１４に形成したものであり、図１２に示す実施例における陰茎案内部は、トラップシート１４の上端縁の中央部に形成されたＶ溝状の切欠２５であり、図１３に示す実施例における陰茎案内部は、トラップシート１４の上端縁に並列状態で形成された多数のギャザー状をなす切欠２６群であり、図１４に示す実施例における陰茎案内部は、トラップシート１４の上端側に形成した円形の開口２７である。図１２〜図１４に示した実施例では、液不透過性のトラップシート１４を採用する必要があるが、可撓性を持った液不透過性の内袋をトラップ部１３に組み込んだ場合には、トラップシート１４として液透過性のものを使用することができる。
【００５５】
図１５およびそのXVI−XVI矢視断面構造を表す図１６は、このような内袋２８を組み込んだ実施例を示しており、吸収体１２はすべて内袋２８内に収容された状態となっている。トラップ部１３の下端の幅方向左右両端部には、外部とトラップ部１３内とを連通する切欠部２９が形成されており、可撓性を有する内袋２８内に尿が溜まると、この内袋２８が膨らみ、図１５中の二点鎖線で示すように、その一部が切欠部２９から膨出して内袋２８からトラップ部１３内に尿が溢れ出ないようになっている。
【００５６】
本実施例における内袋２８の外観を図１７に示し、ここに尿が一時的に溜まった状態の外観を模式的に図１８に示す。本実施例における内袋２８は、例えば長辺が２８cmで短辺が２４cmの矩形をなし、厚みが０．０２mmの日本サニパック株式会社製のＰＥフィルムで構成され、その長辺側の左右両側をそれぞれ内側に５cmずつ折り返して第１の折り返し部２８ａを形成し、また短辺側を１０cm上方に折り返すことにより第２の折り返し部２８ｂを形成し、さらにこの第２の折り返し部２８ｂを下方に折り返すことにより第３の折り返し部２８ｃを形成している。第３の折り返し部２８ｃの中央部およびその上方に位置する短辺側の上部中央部分は、吊り下げテープ３０の両端部に接合されている。
【００５７】
従って、内袋２８内に尿が排出されると、トラップ部１３内で内袋２８が膨らみ、吊り下げテープ３０の両側に位置する第１および第２の折り返し部２８ａ，２８ｂが重力により膨出し、これらがトラップ部１３の切欠部２９からそれぞれ膨出することができるようになっている。これによって、多量の尿が排出されたとしてもトラップ部１３内に尿が漏れるのを防止することができる。
【００５８】
この内袋２８内に収容される本実施例における吸収体１２の外観を図１９に示す。すなわち、本実施例における吸収体１２は、例えば長辺が２８cmで短辺が２６cmの矩形をなす株式会社日本吸収体技術研究所製のメガシン（登録商標）という商品名の図４に示す如きシート状吸収体１２Ｓであり、その短辺をまず半分に折りたたみ、さらにその左右両側を内側に６cmずつ折り返した折りたたみ構造を有する。
【００５９】
この吸収体製品Ｐの個包装用シート１１およびトラップシート１４は、図２０に示すように、例えば長辺が３８cmで短辺が２０cmの矩形をなし、２０g/ｍ２の Avgol 社製の不織布（Ｓ.Ｍ.Ｍ.Ｓ.タイプ）を用い、その長手方向一端から１４cmのところに７cmの長さの切欠２９Ｅを形成し、これら切欠２９Ｅ部分からトラ ップシート１４となる部分を折り返してその幅方向両側端縁部および上端縁部の左右両側にヒートシール１６を形成することによって得られる。この場合、トラップシート１４の上端縁部の左右両側にヒートシール１６を形成する前に、内袋２８および吸収体１２をトラップ部１３内に組み込んでおく必要がある。なお、本実施例では吸収体１２を折りたたんで内袋２８内に収容するようにしたが、先の実施例のように一端部のみ内袋２８内に収容されるようにした方が吸収体１２の膨潤性を最大限に生かすことができる。
【００６０】
上述した吸収体製品Ｐは、そのままの形態で従来の使い捨ておむつやショーツ，パンツなどの下ばきと組合わせた状態で使用することも可能であるが、この吸収体製品Ｐを所定位置に保持することが可能な装着部を具えた専用の下ばきも本発明の好ましい形態の１つである。
【００６１】
図２１〜図３０は、このような本発明による下ばきの実施例をそれぞれ示しており、これらの下ばきは、何れも平編み、例えばメリヤス編みのニット製品であることが着用時のフィット性を良好に保つ上で好ましい。
【００６２】
図２１は図１５〜図１９に示した尿パッド、すなわち吸収体製品Ｐに適合させた下ばき３１の着用状態を示しており、図２２はその内側の構造を模式的に示している。切欠部２９から膨出可能な内袋２８を収容し得る逃げ部３２Ｃを形成したメッシュポケット３２が本発明の装着部として下ばき３１の内側に縫い付けられている。この下ばき３１の外側前身頃には、接合テープ１５を剥離可能に接合するための接合部３３が設けられており、これによって着用中における吸収体製品Ｐを安定して下ばき３１内に保持することができ、その位置ずれをなくすことが可能である。
【００６３】
このような下ばき３１の接合部３３に対して適合可能な吸収体製品Ｐにおける接合テープ１５の拡大構造を図２３に示す。この接合テープ１５は、多重折りたたみ形式のものであって、基端部が相互に回動可能に連結された一対の対向し得る接合面３４を有し、これら接合面３４の回転位置を自由に変更できるようにしたものであり、裏面側でも表面側でも接合可能となっている。図示例では、接合面３４に面ファスナをそれぞれ形成しており、これに対応する面ファスナが下ばき３１の接合部３３に形成されている。
【００６４】
図２４に示した実施例における下ばき３１は、図１５〜図１９に示した尿パッドと同様な切欠部２９がトラップ部１３の下端中央に形成された吸収体製品Ｐに対応したものであり、ここから膨出する図示しない内袋を収容し得る逃げ部３２Ｃを下端中央部に形成したメッシュポケット３２が下ばき３１の内側に縫い付けられている。
【００６５】
図２５に示した実施例における下ばき３１は、図１〜図３に示した吸収体製品Ｐを収容し得る縦長のメッシュポケット３２を下ばき３１の内側に縫い付けたものである。
【００６６】
図２６に示した実施例における下ばき３１は、図１〜図３に示した吸収体製品Ｐよりも幅の広い吸収体製品Ｐを収容し得る横長のメッシュポケット３２を下ばき３１の内側に縫い付けたものである。
【００６７】
図２７に示した実施例における下ばき３１は、図１〜図３に示した吸収体製品Ｐを収容し得るメッシュポケット３２を下ばき３１の内側に縫い付けたものであるが、矩形ではなく、Ｖ字形状となっており、このような形状でも吸収体製品Ｐを保持することが可能である。
【００６８】
図２８に示した実施例における下ばき３１は、図１〜図３に示した吸収体製品Ｐを収容し得るメッシュポケット３２を下ばき３１の内側に縫い付けたものであるが、吸収体製品Ｐの左右両端部のみ保持できるように２つに分かれた構造を有する。
【００６９】
図２９に示した実施例における下ばき３１は、図１〜図３に示した吸収体製品Ｐを収容し得るリボン状の伸縮可能な弾性部材３５の両端部を下ばき３１の内側に縫い付け、この弾性部材３５に吸収体製品Ｐの下端部を差し込むことによって、これを保持するようにしたものである。
【００７０】
図３０に示すように、吸収体製品Ｐの下端部の左右両側を挟むように一対の弾性部材３５を傾斜状態で下ばき３１の内側に取り付けることも可能である。
【００７１】
このように、装着部の形状や構造は使用形態などに応じて適宜選択可能である。同様に、下ばき３１の外側の前身頃の部分に設けられる接合部３３も接合テープ１５の形態に対応して適宜変更可能である。
【００７２】
図１５〜図１９に示した吸収体製品Ｐ（尿パッド）を実際に着用し、その吸収効果の確認実験を行った。使用した吸収体１２の基本特性は以下の通りである。すなわち
ＳＡＰ目付け    １５０ｇ/ｍ２
想定吸収量        ５５ml/ｇ
想定リテンション  ３５ml/ｇ
であり、従ってこの吸収体１２全体の想定吸収量は４００ml，想定リテンションは２６０mlとなる。
【００７３】
図２１に示す下ばき３１としてグンゼ株式会社製の申又式木綿トランクスＬサイズ（商品名）を男性被験者に着用させ、この状態で放尿させたところ、放尿後３０秒で内袋２８内が最大に膨らみ、その一部が切欠部２９から膨出したけれども、内袋２８からトラップ部１３内への尿漏れの発生は認められなかった。次いで、放尿開始から３分経過後、この吸収体製品Ｐを被験者から回収し、吸収体１２の吸収量を測定した結果、４３０mlの尿の吸収が確認された。この吸収量は２６０mlの想定リテンション量をはるかに上回り、さらに４００mlの想定吸収量をも上回る値であり、吸収が極めて効率的に行われたことを確認できた。
【００７４】
【発明の効果】
本発明の吸収体製品によると、個包装用シートと、この個包装用シートに重ねられる吸収体と、この吸収体の少なくとも一端部が収容される可撓性のトラップ部を個包装用シートとの間に形成するトラップシートと、このトラップシートまたは個包装用シートの他端部に一体的に接合される基端部、ならびに個包装用シートの他端側がトラップシートに重なるように個包装用シートの他端部とこの個包装用シートの一端部またはトラップシートとを剥離可能に接合する先端部を有する接合テープとを具えているので、使用後に個包装用シートの他端側をトラップシートに重ねて接合テープにより個包装用シートの他端部とこの個包装用シートの一端部またはトラップシートとを接合することにより、使用済みの吸収体製品の密閉状態を保ったまま廃棄することができる。また、吸収体が瞬時に大量の液体を吸収することができない場合であっても、トラップ部に液不透過性を持たせることにより、液体を一時的にトラップ部内に溜めておき、最終的に大量の液体を吸収体に保持させることができる。
【００７５】
個包装用シートの少なくとも吸収体が重ねられる部分が液不透過性を有する場合には、吸収体に保持された液体が個包装用シートからしみ出すような不具合を未然に防止することができる。
【００７６】
吸収体がその幅方向に延在する折り返し部をトラップ部内に有する場合、トラップ部内に介在する吸収体の面積が増大するため、短時間のうちに大量の液体がトラップ部内に排出された場合でも、このトラップ部の外に液体が溢れるのを抑制することができる。
【００７７】
吸収体がその長手方向に沿って延在する第２の折り返し部をその幅方向両側縁部にそれぞれ有する場合、吸収体による液体の吸収保持量をさらに増大させることができる。
【００７８】
個包装用シートと吸収体との間に個包装用シートに対する吸収体の位置ずれを防止するための位置ずれ防止部材をさらに具えた場合、個包装用シートに対する吸収体の位置ずれを未然に防止することができる。
【００７９】
トラップシートがトラップ部内に男性の陰茎を導くための陰茎案内部を有する場合、男性用の失禁パッドとして好適な吸収体製品とすることができる。
【００８０】
トラップ部に組み込まれて吸収体の少なくとも一端部が収容される可撓性を持った液不透過性の内袋をさらに具えた場合には、個包装用シートやトラップシートに液透過性を持たせることができ、良好な着用感を得ることができる。
【００８１】
内袋の外周縁部が折りたたまれた状態でトラップ部に収容される折り返し部を有する場合、特に内袋の折り返し部の一部が外側に膨出し得る開口部をさらに具えている場合には、吸収体によって吸収し切れずに一時的に内袋内に大量の液体が溜まっても、折り返し部が膨らんで開口部からトラップ部の外側に膨出させることができ、内袋から液体が溢れ出るような不具合を未然に防止することができる。
【００８２】
個包装用シートおよびトラップシートが同一のシート材料からなる場合には、これらを単一のシート材料から容易に製造することができる。
【００８３】
トラップシートの他端側が液透過性を有する場合、特にトラップシートの液透過性を有する部分に接合され、女性の尿道口に対向して尿を吸収体に拡散状態で導くための誘導部材をさらに有する場合には、女性用の失禁パッドとして好適な吸収体製品とすることができる。
【００８４】
個包装用シートの左右両側縁部に沿って個包装用シートの左右両側縁部に伸長状態で接合された一対の弾性部材をさらに具えた場合には、吸収体製品の使用時に肌に対する密着性を高めることができる。
【００８５】
吸収体がシート状をなす不織布基材と、この不織布基材に所定間隔で塗工された複数の液吸収部とを有する場合、特に吸収体がＳＡＰを６０重量％以上含む場合、従来の薄型おむつなどと比較すると嵩容積を１／３以下にコンパクト化することができ、子供用から大人用に至る種々のタイプの吸収体製品を提供することができる。
【００８６】
吸収体が水崩壊性を有する場合、特別な処理などを行わずにそのまま廃棄することが可能となる。
【００８８】
本発明の吸収体製品の製造方法によると、単一のシート材料の幅方向両側縁部にそれぞれ開口し、それぞれ開口部となる一対の切欠をこの単一のシート材料の幅方向に沿って一直線状に形成し、一対の切欠を含むように単一のシート材料をその幅方向に沿って折り返し、折り返された単一のシート材料の相互に重なり合う幅方向両側縁部を接合してトラップ部を形成するようにしたので、容易かつ合理的に本発明の吸収体製品を製造することができる。
【００８９】
本発明の吸収体製品の取り扱い方法によると、接合テープを剥離して個包装用シートの他端側を展開し、この展開状態にて吸収体製品を使用し、使用後に個包装用シートの他端側をトラップシートに重ねて接合テープにより個包装用シートの他端部とこの個包装用シートの一端部またはトラップシートとを接合するようにしたので、特に使用後に個包装用シートの他端部とこの個包装用シートの一端部またはトラップシートとを接合した状態のまま廃棄する場合には、使用済みの吸収体製品の密閉状態を保つことができ、使用者にとっても環境にとっても衛生的に好ましい状態で処理でき、極めて便宜性の高い吸収体製品とすることができる。
【００９０】
本発明の内袋によると、複雑な蛇腹構造などにせずとも、矩形のフィルムを折りたたみ、所定箇所を吊り下げテープで接合するだけで、膨出させる部分を確実に形成することができる。
【００９１】
本発明の内袋の製造方法によると、矩形のフィルムを折りたたみ、所定箇所を吊り下げテープで接合するだけで極めて容易かつ低コストにて内袋を製造することができる。
【００９２】
本発明の下ばきによると、本発明による吸収体製品が取り外し可能に装着される装着部を具えているので、下ばきに対する吸収体製品の着脱を容易に行うことができる。
【００９３】
本発明の下ばきによると、本発明の吸収体製品または本発明の方法により製造される吸収体製品と、この吸収体製品が取り外し可能に装着される装着部とを具えているので、使用済みの吸収体製品を下ばきから取り外して新たな吸収体製品を下ばきに装着することができる。
【００９４】
装着部を下ばきの少なくとも内側に設けた場合には、下ばきに対して吸収体製品の位置がその使用中にずれてしまうような不具合を防止することができる。
【００９５】
吸収体製品の接合テープが剥離可能に接合される接合部をさらに具えている場合には、下ばきに対して吸収体製品の位置がその使用中にずれてしまうような不具合をより確実に防止することができる。
【００９６】
接合部を下ばきの外側に設けた場合、この接合部が着用者の肌に直接接触しないので、良好な着用感を得ることができる。
【００９７】
下ばきが平編みのニット製品の場合、着用者の肌に対して吸収体製品を確実に密着させることができる。
【図面の簡単な説明】
【図１】本発明による吸収体製品の第１実施例の外観を表す斜視図であり、未使用状態または廃棄状態を示している。
【図２】図１に示した第１実施例の縦断面図である。
【図３】図１に示した第１実施例を展開した平面図であり、使用状態を表す。
【図４】本発明における吸収体の一例の外観を表す斜視図である。
【図５】本発明における吸収体の別な一例の外観を表す斜視図である。
【図６】本発明による吸収体製品の第２実施例の外観を表す斜視図であり、未使用状態または廃棄状態を示している。
【図７】本発明による吸収体製品の第３実施例を展開した平面図であり、吸収体を除いて示してある。
【図８】本発明による吸収体製品の第４実施例を展開した平面図であり、吸収体を除いて示してある。
【図９】本発明による吸収体製品を女性用失禁パッドに応用した実施例の外観を表す平面図である。
【図１０】本発明による吸収体製品の廃棄状態の一例の外観を表す斜視図である。
【図１１】本発明による吸収体製品を女性用失禁パッドに応用した他の実施例の外観を表す平面図である。
【図１２】本発明による吸収体製品を男性用失禁パッドに応用した実施例の外観を表す平面図である。
【図１３】本発明による吸収体製品を男性用失禁パッドに応用した他の実施例の外観を表す平面図である。
【図１４】本発明による吸収体製品を男性用失禁パッドに応用した別な実施例の外観を表す平面図である。
【図１５】本発明による吸収体製品を男性用失禁パッドに応用したさらに他の実施例の外観を表す平面図である。
【図１６】図１５に示した実施例のXVI−XVI矢視断面図である。
【図１７】図１５に示した実施例における内袋の外観を表す斜視図である。
【図１８】図１７に示した内袋に液体が一時的に貯溜された状態の外観を模式的に表す斜視図である。
【図１９】図１５に示した実施例における吸収体の外観を表す斜視図である。
【図２０】図１５に示した実施例におけるシートの展開状態を表す平面図である。
【図２１】図１５に示した実施例の使用状態を表す概念図である。
【図２２】本発明による下ばきを男性用ブリーフに適用した第１実施例の内面図である。
【図２３】本発明における接合テープの部分の一例を表す側面図である。
【図２４】本発明による下ばきの第２実施例の内面図である。
【図２５】本発明による下ばきの第３実施例の内面図である。
【図２６】本発明による下ばきの第４実施例の内面図である。
【図２７】本発明による下ばきの第５実施例の内面図である。
【図２８】本発明による下ばきの第６実施例の内面図である。
【図２９】本発明による下ばきの第７実施例の内面図である。
【図３０】本発明による下ばきの第８実施例の内面図である。
【符号の説明】
Ｐ  吸収体製品
１１  個包装用シート
１２  吸収体
１２Ｓ  シート状吸収体
１３  トラップ部
１４  トラップシート
１５  接合テープ
１６  ヒートシール
１７  開口
１８  ベースシート
１９  高吸収層
２０  折りたたみ部
２０ｆ  折り線部
２１  折り返し部
２２  位置ずれ防止部材
２３  弾性部材
２４  誘導部材
２５，２６  切欠
２７  開口
２８  内袋
２８ａ  第１の折り返し部
２８ｂ  第２の折り返し部
２８ｃ  第３の折り返し部
２９  切欠部
２９Ｅ  切欠
３０  吊り下げテープ
３１  下ばき
３２  メッシュポケット
３２Ｃ  逃げ部
３３  接合部
３４  接合面
３５  弾性部材
【図１】
0004018902.tif 000002
【図２】
0004018902.tif 000003
【図３】
0004018902.tif 000004
【図４】
0004018902.tif 000005
【図５】
0004018902.tif 000006
【図６】
0004018902.tif 000007
【図７】
0004018902.tif 000008
【図８】
0004018902.tif 000009
【図９】
0004018902.tif 000010
【図１０】
0004018902.tif 000011
【図１１】
0004018902.tif 000012
【図１２】
0004018902.tif 000013
【図１３】
0004018902.tif 000014
【図１４】
0004018902.tif 000015
【図１５】
0004018902.tif 000016
【図１６】
0004018902.tif 000017
【図１７】
0004018902.tif 000018
【図１８】
0004018902.tif 000019
【図１９】
0004018902.tif 000020
【図２０】
0004018902.tif 000021
【図２１】
0004018902.tif 000022
【図２２】
0004018902.tif 000023
【図２３】
0004018902.tif 000024
【図２４】
0004018902.tif 000025
【図２５】
0004018902.tif 000026
【図２６】
0004018902.tif 000027
【図２７】
0004018902.tif 000028
【図２８】
0004018902.tif 000029
【図２９】
0004018902.tif 000030
【図３０】
0004018902.tif 000031